(57)【要約】【課題】簡便な構成で吸気口からの洗浄液の漏出を防止できるレンジフードを提供する。【解決手段】ハウジング２と、整流板１３と、洗浄液供給部６５と、を備え、ハウジング２はフード部１１を備え、吸気口２３が、整流板１３の外周部位、又は、フード部１１と整流板１３の外周側との間に形成され、整流板１３において吸気口２３から内部空間Ｓへの吸気経路Ｌに第１壁部３１がフード部１１に向けて立設されており、フード部１１において第１壁部３１よりも吸気経路Ｌの下流側に第２壁部３２が整流板１３に向けて延設され、第１壁部３１とフード部１１との間、及び、第２壁部３２と整流板１３との間は、共に間隙Ｇ１，Ｇ２を有しており、当該間隙Ｇ１，Ｇ２によって吸気経路Ｌが形成されている。【選択図】図３
2020134092.tif 000002
【特許請求の範囲】
【請求項１】
流体が取り込まれる内部空間と、前記内部空間から流体を排気する排気口とを有するハウジングと、
前記内部空間の下部に配置されており、前記ハウジングとともに前記内部空間を形成する整流板と、
前記ハウジングの前記内部空間の洗浄時に洗浄液を供給する洗浄液供給部と、を備え、
前記ハウジングは、前記内部空間の一部を形成し、前記整流板に対向して配置され、前記内部空間に流体を取り込むフード部を備え、
流体を前記内部空間に取り込む吸気口が、前記整流板の外周部位、又は、前記フード部と前記整流板の外周側との間に形成され、
前記整流板において前記吸気口から前記内部空間への吸気経路に第１壁部が前記フード部に向けて立設されており、
前記フード部において前記第１壁部よりも前記吸気経路の下流側に第２壁部が前記整流板に向けて延設され、
前記第１壁部と前記フード部との間、及び、前記第２壁部と前記整流板との間は、共に間隙を有しており、当該間隙によって前記吸気経路が形成されているレンジフード。
【請求項２】
前記第２壁部の下端部が前記第１壁部の上端部よりも下方に位置するように配置されている請求項１に記載のレンジフード。
【請求項３】
前記第２壁部は、下端部が前記吸気経路の下流側に向けて湾曲する折り返し部を有する請求項１又は２に記載のレンジフード。
【請求項４】
前記整流板が、前記第２壁部よりも前記吸気経路の下流側に立設された第３壁部を備え、前記第３壁部と前記フード部との間に前記吸気経路となる間隙を有する請求項１から３のいずれか一項に記載のレンジフード。
【請求項５】
前記第３壁部は、前記整流板に近接する基部側に前記洗浄液の流通を許容する貫通部が形成されている請求項４に記載のレンジフード。
【請求項６】
前記第３壁部は、上端部が前記吸気経路の下流側に向けて湾曲する折り返し部を有する請求項４又は５に記載のレンジフード。
【請求項７】
前記フード部及び前記整流板が平面視において矩形状に形成され、
前記吸気口が平面視において前記整流板の三辺に沿って形成され、
前記第１壁部は、前記整流板の全周に亘って設けられ、
前記第２壁部は、少なくとも前記吸気口に対応する部位に設けられている請求項１から６のいずれか一項に記載のレンジフード。
【発明の詳細な説明】
【技術分野】
【０００１】
本発明は、レンジフードに関する。
【背景技術】
【０００２】
特許文献１及び特許文献２には、煙、湯気及び臭気等の調理に伴って排出される排気を吸い込んで外部に排気するためのレンジフードが開示されている。
【０００３】
特許文献１のレンジフードは、フード本体と、フード本体内に設けられ、送風機が配置された送風機庫と、送風機庫内に配置された洗浄液タンクと、ダクト配管とを備えている。フード本体は、背面板、前面板、左右の側面板、天板によって、下面が開口した箱状に形成されている。フード本体の内部は仕切板で仕切られており、仕切板の奥側に送風機庫が形成されている。仕切板には、送風機庫内に配置された送風機の前面に対応する位置に、吸気口が設けられている。また、吸気口の前面には、吸気口よりも大きな縦板状である吸気シャッタが設けられている。吸気シャッタは、前方の開放位置と後方の閉鎖位置との間で前後方向に移動することで吸気口を開閉する。吸気シャッタは、吸気口から離れて前方に移動した状態では、整流板として機能する。
【０００４】
排気を外部に排出する場合には、吸気シャッタ用モータにより吸気シャッタが開放位置に駆動される。そして、送風機が駆動されると、フード本体の下面の開口からフード本体内部に排気が吸い込まれ、吸気シャッタを整流板として吸気口から送風機庫内部に排気が取り込まれる。送風機庫内部に吸い込まれた排気は、送風機庫とダクト配管との境界に設けられた排気中の油分等を除去するフィルタを通った後、ダクト配管から排出される。
【０００５】
一方、送風機庫内部及びフィルタ等を自動洗浄する場合には、吸気シャッタ用モータにより吸気シャッタが閉鎖位置に駆動される。そして、清掃信号が入力されると、送風機のファンが低速で駆動され、洗浄液タンク内の洗浄液が送水管からフィルタの上部に供給される。これにより、洗浄液タンク内の洗浄液は、フィルタの上部を介して、駆動しているファンに供給され、送風機庫の内面に吹き付けられる。このとき、前述の通り吸気シャッタにより吸気口が閉鎖されているため、洗浄液及び油分等を含む廃液は吸気口から漏出しない。
【０００６】
特許文献２のレンジフードは、フード本体と、筒体を通じてフード本体と連結されており、送風機が配置されたケーシングと、ケーシングに連結されているダクト配管と、フード本体内に配置された洗浄液噴出部とを備えている。フード本体は、下面板と、上面板と、側面板とに囲まれた箱状体に構成されている。下面板内の端部側には、下板面に形成された開口により空気取込口が構成されており、下面板は空気取込口からフード本体に空気を取り込む際の整流板として機能する。空気取込口にはシャッタが設けられており、シャッタが駆動されることで空気取込口が開閉される。
【０００７】
排気を外部に排出する場合には、送風機が駆動され、空気が排出されてフード本体内は負圧となり、空気取入口のシャッタが上方に揺動して空気取入口が開放される。そして、空気取入口を介してフード本体内に排気が吸い込まれ、吸い込まれた排気は、フード本体と筒体との境界に設けられた排気中の油分等を除去するためにフィルタを通った後、筒体を経てダクトから排出される。
【０００８】
また、洗浄液噴出部により自動洗浄する場合には、送風機が停止される。これにより、フード内が正圧となり、シャッタが自重により下方に揺動して空気取入口が閉鎖される。そして、洗浄液噴出部からフード本体及びフィルタ等に洗浄液が噴射されてフィルタ及びフード本体の内面が自動で洗浄される。このとき、前述の通り空気取入口が閉鎖されているため、洗浄液及び油分等を含む廃液は空気取入口から漏出しない。
【先行技術文献】
【特許文献】
【０００９】
【特許文献１】特許第４３１０５５８号公報
【特許文献２】特許第３９０６４５３号公報
【発明の概要】
【発明が解決しようとする課題】
【００１０】
特許文献１のレンジフードでは、整流板である吸気シャッタは、送風機庫に対して前方に設けられている。また、特許文献２のレンジフードでは、整流板である下面板は、側面板等と一体となってフード本体の一部を構成している。そして、吸気口は下面板に開口を
形成することで構成されている。
【００１１】
一方で、特許文献１及び特許文献２のレンジフードとは異なり、箱状体のレンジフード本体の下部の開口に対応して、レンジフード本体とは別体で整流板が備えられたレンジフードが提案されている。このレンジフードでは、レンジフード本体の下部の開口周縁と整流板との間の隙間により吸気口が形成されている。
【００１２】
このようなレンジフードにおいても、レンジフード本体内に洗浄液噴出部を設けてレンジフード本体内部を洗浄することが望まれているが、特許文献１及び特許文献２のレンジフードと比べて吸気口の形成領域が大きいことから、吸気口から洗浄液の漏出を防止するための構造が大がかりで複雑なものとなり易いものであった。
【００１３】
そこで、本発明は上述の課題に鑑みてなされたものであり、簡便な構成で吸気口からの洗浄液の漏出を防止できる技術の提供を目的とする。
【課題を解決するための手段】
【００１４】
本発明に係るレンジフードの特徴構成は、
流体が取り込まれる内部空間と、前記内部空間から流体を排気する排気口とを有するハウジングと、
前記内部空間の下部に配置されており、前記ハウジングとともに前記内部空間を形成する整流板と、
前記ハウジングの前記内部空間の洗浄時に洗浄液を供給する洗浄液供給部と、を備え、
前記ハウジングは、前記内部空間の一部を形成し、前記整流板に対向して配置され、前記内部空間に流体を取り込むフード部を備え、
流体を前記内部空間に取り込む吸気口が、前記整流板の外周部位、又は、前記フード部と前記整流板の外周側との間に形成され、
前記整流板において前記吸気口から前記内部空間への吸気経路に第１壁部が前記フード部に向けて立設されており、
前記フード部において前記第１壁部よりも前記吸気経路の下流側に第２壁部が前記整流板に向けて延設され、
前記第１壁部と前記フード部との間、及び、前記第２壁部と前記整流板との間は、共に間隙を有しており、当該間隙によって前記吸気経路が形成されている点にある。
【００１５】
本特徴構成によれば、レンジフードは、第１壁部とフード部との間、及び、第２壁部と整流板との間の間隙によって吸気経路が形成されるので、当該吸気経路から流体を内部空間に取り込むことができる。また、第１壁部及び第２壁部によって、洗浄液供給部からレンジフードの内部空間に供給される洗浄液が吸気口に向かう流れを阻止することができる。これにより、レンジフードの洗浄液が吸気口から漏出する不具合を防止することができる。このように、本構成のレンジフードは、吸気口を閉鎖する機構を別途設けることなく、フード部において第２壁部を設ける簡易な構成によって、吸気経路から流体を内部空間に取り込みつつ、レンジフードの内部空間に供給される洗浄液の吸気口からの漏出を防止することができる。
【００１６】
本発明に係るレンジフードの更なる特徴構成は、
前記第２壁部の下端部が前記第１壁部の上端部よりも下方に位置するように配置されている点にある。
【００１７】
本特徴構成によれば、第１壁部及び前記第２壁部は、水平方向視において上下方向の端部どうしが重なるため、内部空間に供給される洗浄液が吸気口に向かう流れをより確実に遮断することができる。これにより、レンジフードの内部空間に供給される洗浄液の吸気口からの漏出をより効果的に防止することができる。
【００１８】
本発明に係るレンジフードの更なる特徴構成は、
前記第２壁部は、下端部が前記吸気経路の下流側に向けて湾曲する折り返し部を有する点にある。
【００１９】
本特徴構成によれば、第２壁部の下端部の折り返し部によって吸気口から取り入れられた流体を内部空間に案内することができるので、内部空間に効率よく流体を取り入れることができる。また、また、内部空間に洗浄液が供給される際には、第２壁部に向けて噴射される洗浄液は第２壁部の折り返し部によって内部空間に案内される。これにより、洗浄液は吸気口に向けて流れ難くなるので、洗浄液が第２壁部を経由して吸気口から漏出する不具合を防止することができる。
【００２０】
本発明に係るレンジフードの更なる特徴構成は、
前記整流板が、前記第２壁部よりも前記吸気経路の下流側に立設された第３壁部を備え、前記第３壁部と前記フード部との間に前記吸気口から前記内部空間への流体の流れを許容する間隙を有する点にある。
【００２１】
本特徴構成によれば、第２壁部よりも吸気経路の下流側において整流板に第３壁部が立設されているので、当該第３壁部によって洗浄液の漏出をより効果的に防止することができる。
【００２２】
本発明に係るレンジフードの更なる特徴構成は、
前記第３壁部は、前記整流板に近接する基部側に前記洗浄液の流通を許容する貫通部が形成されている点にある。
【００２３】
レンジフードの吸気経路において、上流側から下流側に向けて第１壁部、第２壁部、及び第３壁部が配置された場合、内部空間に供給される洗浄液が整流板に設けられる第１壁部と第３壁部との間に入り込んで貯留することが想定される。しかし、本特徴構成によれば、第３壁部は基部側に貫通部が形成されているので、洗浄液は貫通部を流通させて内部空間に別途設けられる排出口から排出することができる。これにより、第１壁部と第３壁部との間に洗浄液が貯留する不具合を解消することができる。
【００２４】
本発明に係るレンジフードの更なる特徴構成は、
前記第３壁部は、上端部が前記吸気経路の下流側に向けて湾曲する折り返し部を有する点にある。
【００２５】
本特徴構成によれば、第３壁部の上端部の折り返し部によって吸気口から取り入れられた流体を内部空間に案内することができるので、内部空間に効率よく流体を取り入れることができる。また、内部空間に洗浄液が供給される際には、また、内部空間に洗浄液が供給される際には、第３壁部に向けて噴射される洗浄液は第３壁部の折り返し部によって内部空間に案内される。これにより、洗浄液は吸気口に向けて流れ難くなるので、洗浄液が第３壁部を経由して吸気口から漏出する不具合を防止することができる。
【００２６】
本発明に係るレンジフードの更なる特徴構成は、
前記フード部及び前記整流板が平面視において矩形状に形成され、
前記吸気口が平面視において前記整流板の三辺に沿って形成され、
前記第１壁部は、前記整流板の全周に亘って設けられ、
前記第２壁部は、少なくとも前記吸気口に対応する部位に設けられている点にある。
【００２７】
本特徴構成によれば、吸気口が平面視において矩形状の整流板の三辺に沿って形成されるので、内部空間への吸気領域を大きく確保することができる。また、第１壁部が整流板の全周に亘って設けられることで、内部空間に供給される洗浄液が整流板の外周側に流れ出ないようにすることができる。さらに、第２壁部が吸気口に対応する部位に設けられているので、吸気口から内部空間への吸気を許容しつつ吸気口からの洗浄液の漏出を防止することができる。
【図面の簡単な説明】
【００２８】
【図１】斜め上方から見たレンジフードの全体斜視図である。
【図２】レンジフードを上方から視た部分透視図である。
【図３】図２のレンジフードのＩＩＩ−ＩＩＩ断面図である。
【図４】レンジフードの整流板に囲まれた領域を上方から視た部分透視図である。
【図５】図４のＶ−Ｖ断面図であって、洗浄液がレンジフードの空間Ｓ１に噴射されている様子を示す断面図である。
【図６】第２実施形態のレンジフードにおいて、洗浄液がレンジフードの空間Ｓ１に噴射されている様子を示す断面図である。
【図７】第２実施形態の吸気部の要部斜視図である。
【図８】別実施形態のレンジフードの断面図である。
【発明を実施するための形態】
【００２９】
〔第１実施形態〕
本発明に係るレンジフードの実施形態について、図面を参照して説明する。まずはレンジフード１の全体構成について図１〜図３を用いて説明する。
（１）レンジフードの全体構成
レンジフード１は、調理器（図示せず）の上方に設けられている。図１及び図３に示すように、レンジフード１は、ハウジング２と、整流板１３と、洗浄液供給部６５とを備えている。また、レンジフード１は、レンジフード１での換気、レンジフード１の洗浄等の各種を動作させるための複数のボタン等の指示受付部（図示せず）を備えている。そして、レンジフード１は、指示受付部がユーザ等から指示を受け付けると、指示に応じた処理を行う制御部２０を備えている。
【００３０】
ハウジング２は、内部に空間Ｓ２（図３）を有し、下面が開口した直方体状の送風機庫１７と、送風機庫１７の下方に連続して形成され、送風機庫１７内部の空間Ｓ２と連通する空間Ｓ１（図３）を内部に有するフード部１１とを有する。フード部１１は、調理器（図示せず）を覆うように、送風機庫１７よりも前側、左右両側が拡張されて形成されており、フード部１１の後面と、送風機庫１７の後面とは概ね面一である。送風機庫１７の空間Ｓ２には送風機１５が設けられている。フード部１１は平面視において矩形状に形成されている。
【００３１】
ハウジング２の下部には平面視において矩形状の整流板１３が配置されており、ハウジング２と整流板１３とにより内部空間Ｓが形成されている。より具体的には、フード部１１と整流板１３とにより形成される、フード部１１の内部の空間Ｓ１と、送風機庫１７の内部の空間Ｓ２とが一体となって、ハウジング２の内部空間Ｓが形成されている。
送風機１５が駆動されると、図３に示すように、内部空間Ｓには整流板１３の外周側に設けられる吸気口２３を含む吸気経路Ｌを介して、調理で発生した煙、湯気及び臭気等の排気が取り込まれる。内部空間Ｓに取り込まれた排気は、ハウジング２の送風機庫１７の上部に設けられた排気口１９から排出される。
【００３２】
また、レンジフード１は、レンジフード１の内部空間Ｓを洗浄するために、後述の洗浄液噴射部Ｎ（フード洗浄部４０、庫内洗浄部７０、送風機洗浄部４７）を備えている。洗浄液噴射部Ｎは、後述の洗浄液供給部６５から洗浄液の供給を受けて、レンジフード１の内部空間Ｓに洗浄液を噴射し、洗浄する。
【００３３】
以下では、図１等に示す方向、つまり上、下、前、後、右、左にしたがって説明を行う。具体的には、整流板１３側を下とし、排気口１９側を上として上下方向を規定している。また、上下方向に対して直交する前後方向において、フード部１１の突出方向が前であり、その反対が後である。そして、これら上下方向及び前後方向に直交する方向が左右方向である。但し、この向きによって、本発明が限定されるものではない。
なお、図１の全体斜視図は上方側からの図面であり、図２はレンジフード１を上方から視た部分透視図であって、ハウジング２の前方を基準に左右が定義されている。その他の図面も同様である。
【００３４】
フード部１１は、パネル部１１ａと、パネル部１１ａに連続して形成された外周部１１ｂとを有する。パネル部１１ａは、整流板１３が下方に配置された状態で、整流板１３と対向する板状部材である。外周部１１ｂは、パネル部１１ａの前側、左側及び右側において、パネル部１１ａの外側に向かって連続して、かつ下方に突出して形成されている。
【００３５】
そして、パネル部１１ａが整流板１３と対向しており、外周部１１ｂが整流板１３の前側、左側及び右側を取り囲んでいる。これにより、フード部１１と整流板１３とにより囲まれることで、図３等に示す空間Ｓ１が形成される。この空間Ｓ１に整流板１３の吸気口２３から取り込まれた排気が導入される。
【００３６】
送風機庫１７は、フード部１１の上部に設けられた中空の直方体状の筐体である。送風機庫１７は、上壁１７ａと、上壁１７ａの４辺から下方に延びる側壁１７ｂと、上壁１７ａと対向する底壁１７ｃとを有している。側壁１７ｂには、図２及び図３に示すように、前後左右の側壁１７ｂ１〜１７ｂ４が含まれる。後側の側壁１７ｂ２には送風機１５が取り付けられており、送風機１５の下部に対応して底壁１７ｃが設けられている。底壁１７ｃには、左右方向の中央部かつ前後方向の後部に、洗浄液及び汚れ等を排水するための第２排水口２７が設けられている。第２排水口２７からは、排水管２８が延びている。底壁１７ｃは、側壁１７ｂから第２排水口２７に向かうにつれて下方に向かっていると、排水が第２排水口２７に向かい易く好ましい。例えば、底壁１７ｃは、前後方向において第２排水口２７に向かうにつれて下方に向かう構成と、左右方向において第２排水口２７に向かうにつれて下方に向かう構成との少なくともいずれかの構成が採用されて形成されていると好ましい。
【００３７】
また、送風機庫１７は、底壁１７ｃの前端から上方に向かって延びる隔壁２１を有する。隔壁２１を境界にして、送風機庫１７内の空間Ｓ２は、図３に示すように、隔壁２１の前側の空間Ｓ２ａと、隔壁２１の後側の空間Ｓ２ｂとを含む。
【００３８】
整流板１３は、レンジフード１の最下部に、フード部１１のパネル部１１ａと対向するように取り付けられている。整流板１３は、板状の底壁１３ａと、底壁１３ａの周囲に設けられた第１壁部３１と、を有している。整流板１３は、第１壁部３１のうち後側の壁部１３ｂが隔壁２１に固定されている。吸気口２３は、整流板１３の外周と、整流板１３よりも一回り大きいフード部１１の内周との隙間により形成される開口によって構成されている。本実施形態では、吸気口２３は平面視において整流板１３の三辺（前側及び左右の辺）に沿って整流板１３の外周部位に形成されている。排気は、吸気口２３を介して、整流板１３とフード部１１との間の空間Ｓ１に取り込まれ、送風機庫１７に導入される。整流板１３は、フード部１１と整流板１３との間の開口面積を絞る機能を有しており、排気の吸込速度を高める。
【００３９】
整流板１３には第１排水口２５が設けられており、レンジフード１の空間Ｓ１及び空間Ｓ２ａに噴射された洗浄液が第１排水口２５を介して排水される。第１排水口２５は、整流板１３の左右方向の中央部かつ前後方向の後部に設けられている。第１排水口２５からは排水管２６が延びている。整流板１３の底壁１３ａは、第１壁部３１から第１排水口２５に向けて下方に傾斜していると、排水が第１排水口２５に向かい易く好ましい。例えば、底壁１３ａは、前後方向において第１排水口２５に向けて下方に傾斜する構成と、左右方向において第１排水口２５に向けて下方に傾斜する構成との少なくともいずれかの構成が採用されて形成されていると好ましい。
【００４０】
（２）噴射部
次に、レンジフード１が備える、レンジフード１内に洗浄液を噴射する洗浄液噴射部Ｎについて以下に説明する。洗浄液噴射部Ｎは、空間Ｓ１に設けられるフード洗浄部４０と、空間Ｓ２ａに設けられる庫内洗浄部７０と、空間Ｓ２ｂに設けられ、送風機１５を洗浄する送風機洗浄部４７とを有する。
【００４１】
（２−１）フード洗浄部
フード洗浄部４０について、図３〜図４を用いて説明する。
フード洗浄部４０は、フード部１１と整流板１３とにより囲まれる空間Ｓ１に対して洗浄液を噴射する洗浄部であり、フード上方向噴射部４１（４１ａ、４１ｂ）とフード下方向噴射部４３（４３ａ、４３ｂ）とを有する。フード上方向噴射部４１及びフード下方向噴射部４３の噴射角は、これに限定されないが、例えば概ね１２０°である。
【００４２】
フード上方向噴射部４１は弁５１を介して洗浄液供給部６５に接続されており、フード下方向噴射部４３は弁５３を介して洗浄液供給部６５に接続されている。そして、フード上方向噴射部４１は、制御部２０により弁５１が操作されることで、フード部１１のパネル部１１ａに向けて下部から上部に洗浄液を噴射する。これにより、空間Ｓ１のうち、パネル部１１ａの内面上部（下面）と空間Ｓ１の側壁上部とを含む内面上部空間に洗浄液が噴射される。同様に、フード下方向噴射部４３は、制御部２０により弁５３が操作されることで、整流板１３に向けて上部から下部に洗浄液を噴射する。これにより、空間Ｓ１のうち、パネル部１１ａの内面下部（上面）と空間Ｓ１の側壁下部とを含む内面下部空間に洗浄液が噴射される。
【００４３】
また、フード上方向噴射部４１は、空間Ｓ１の前後方向の中央部、空間Ｓ１の左右方向の中央部、かつ、整流板１３の上面に設けられている。そして、フード上方向噴射部４１は、フード上方向噴射部４１ａ及びフード上方向噴射部４１ｂを有する。フード上方向噴射部４１ａ及び４１ｂは左右方向に隣接して配置されており、フード上方向噴射部４１ａは左側に、フード上方向噴射部４１ｂは右側に配置されている。そして、フード上方向噴射部４１ａ，４１ｂは、フード部１１のパネル部１１ａに対して洗浄液を噴射する。
【００４４】
フード下方向噴射部４３は、空間Ｓ１の前後方向の前端部、空間Ｓ１の左右方向の両端部、かつ、フード部１１のパネル部１１ａの下面に設けられている。そして、フード下方向噴射部４３は２つの噴射部を備えられており、一方が空間Ｓ１の左端部に配置され、他方が空間Ｓ１の右端部に配置されている。そして、２つのフード下方向噴射部４３ａ，４３ｂは、空間Ｓ１に位置する整流板１３、つまりパネル部１１ａと対向する整流板１３に対して洗浄液を噴射する。
【００４５】
なお、フード上方向噴射部４１及びフード下方向噴射部４３の配置は上記に限定されず、例えば、フード上方向噴射部４１及びフード下方向噴射部４３は、空間Ｓ１において前後方向にランダムに設けられていてもよい。
【００４６】
（２−２）庫内洗浄部
庫内洗浄部７０について、図３を用いて説明する。
庫内洗浄部７０は、送風機庫１７の空間Ｓ２のうち隔壁２１の前側の空間Ｓ２ａに対して洗浄液を噴射する洗浄部であり、庫内上方向噴射部７１（７１ａ、７１ｂ）と庫内下方向噴射部７３（７３ａ、７３ｂ）とを有する。庫内上方向噴射部７１及び庫内下方向噴射部７３の噴射角は、これに限定されないが、例えば概ね１２０°である。
【００４７】
庫内上方向噴射部７１は弁５７を介して洗浄液供給部６５に接続されており、庫内下方向噴射部７３は弁５９を介して洗浄液供給部６５に接続されている。そして、庫内上方向噴射部７１は、制御部２０により弁５７が操作されることで、空間Ｓ２ａの上壁１７ａに対して上下方向の中央部から上部に向かって洗浄液を噴射する。これにより、空間Ｓ２ａのうち、上壁１７ａと側壁１７ｂの上部とを含む内面上部空間に洗浄液が噴射される。同様に、庫内下方向噴射部７３は、制御部２０により弁５９が操作されることで、空間Ｓ２ａの下部に位置する整流板１３に対して上下方向の中央部から下部に向かって洗浄液を噴射する。これにより、空間Ｓ２ａのうち、整流板１３の内面下部（上面）と側壁１７ｂの下部とを含む内面下部空間に洗浄液が噴射される。
【００４８】
また、庫内上方向噴射部７１は、図３に示すように、空間Ｓ２ａの前側の側壁１７ｂ１の上下方向の中央部、かつ左右方向の中央部に設けられている。そして、庫内上方向噴射部７１は、庫内上方向噴射部７１ａ及び庫内上方向噴射部７１ｂを有する。庫内上方向噴射部７１ａ及び７１ｂは左右方向に隣接して配置されており、庫内上方向噴射部７１ａは左側に、庫内上方向噴射部７１ｂは右側に配置されている。庫内上方向噴射部７１ａ，７１ｂは、空間Ｓ２ａの上壁１７ａに対して洗浄液を噴射する。
【００４９】
庫内下方向噴射部７３は、図３に示すように、空間Ｓ２ａの左側の側壁１７ｂ３（図２参照）及び右側の側壁１７ｂ４（図２参照）において、前後方向の中央部、かつ、上下方向の中央部に設けられている。より具体的には、庫内下方向噴射部７３は、左側の側壁１７ｂ３に設けられた庫内下方向噴射部７３ａ及び右側の側壁１７ｂ４に設けられた庫内下方向噴射部７３ｂを有する。庫内下方向噴射部７３ａ，７３ｂは、空間Ｓ２ａに対向する整流板１３に向けて洗浄液を噴射する。
【００５０】
なお、庫内上方向噴射部７１及び庫内下方向噴射部７３の配置は上記に限定されない。
例えば、庫内上方向噴射部７１及び庫内下方向噴射部７３は、空間Ｓ２ａにおいて、前側の側壁１７ｂ１、左側の側壁１７ｂ３及び右側の側壁１７ｂ４の上下方向の中央部にランダムに設けられていてもよい。
また、例えば、庫内上方向噴射部７１は空間Ｓ２ａにおいて上壁１７ａに設けられ、庫内下方向噴射部７３は整流板１３に設けられていてもよい。
【００５１】
（２−３）送風機洗浄部
空間Ｓ２ｂには、送風機洗浄部４７が設けられている。送風機洗浄部４７は、弁６１を介して洗浄液供給部６５に接続されており、制御部２０の制御により送風機１５に対して洗浄液を噴射する。送風機洗浄部４７は、例えば多数のノズルを有する多頭ノズルから構成されており、洗浄液を送風機１５全体に亘って供給されるように洗浄液を噴射する。噴射された洗浄液及びその洗浄液により剥がれた汚れ等の排水は、第２排水口２７を介して排出される。
【００５２】
（３）吸気部
図３に示すように、吸気部３０によって吸気経路Ｌが形成されている。吸気部３０は、吸気口２３と、フード部１１の内側面１１ｃと、第１壁部３１と、第２壁部３２とによって構成されている。吸気口２３は平面視においてパネル部１１ａ及び整流板１３の三辺に沿って形成されている。フード部１１の内側面１１ｃは、平面視のフード部１１において外周部１１ｂの三辺（前側及び左右側の辺）の内周側に設けられている。第１壁部３１は、内側面１１ｃの内周側において、整流板１３の底壁１３ａの外縁部からフード部１１のパネル部１１ａに向けて立設されている。第２壁部３２は、フード部１１のパネル部１１ａにおいて、第１壁部３１よりも吸気経路Ｌの下流側に、整流板１３に向けて下方に延設されている。本実施形態では、第２壁部３２の下端部３２ａが第１壁部３１の上端部３１ａよりも下方に位置するように配置されている。
【００５３】
フード部１１の内側面１１ｃは、吸気口２３から第１壁部３１の間隙Ｇ１に向かう吸気経路Ｌを狭めるように湾曲している。第１壁部３１は、整流板１３の全周に亘って設けられている。第２壁部３２は、パネル部１１ａにおいて少なくとも吸気口２３に対応する三辺（前側及び左右）に設けられている。排気は、整流板１３とフード部１１との間の空間Ｓ１に取り込まれ、送風機庫１７に導入される。平面視において後側の壁部１３ｂを除く第１壁部３１は平面視においてコ字状に連続している。第２壁部３２も平面視においてコ字状に連続している。第１壁部３１及び第２壁部３２は、吸気口２３の形状に応じて、夫々が複数の壁部によって構成されていてもよい。
【００５４】
第１壁部３１とフード部１１のパネル部１１ａとの間は、吸気経路Ｌとなる間隙Ｇ１が形成されている。第２壁部３２と整流板１３の底壁１３ａとの間は、吸気経路Ｌとなる間隙Ｇ２が形成されている。これにより、吸気口２３から間隙Ｇ１及び間隙Ｇ２を通過して空間Ｓ１への吸気が行われる。また、フード部１１の内側面１１ｃによって吸気口２３の側の吸気経路Ｌを狭くすることにより、排気の吸込速度を高めることができる。
【００５５】
上述の通り、レンジフード１において、吸気口２３が平面視において矩形状の整流板１３の三辺に沿って形成されるので、内部空間Ｓへの吸気領域を大きく確保することができる。また、第１壁部３１が整流板１３の全周に亘って設けられることで、内部空間Ｓに供給される洗浄液が整流板１３の外周側に流れ出ないようにすることができる。
【００５６】
また、図５に示すように、フード下方向噴射部４３（フード洗浄部４０）を用いてレンジフード１の空間Ｓ１（内部空間Ｓ）を洗浄する際には、第１壁部３１及び第２壁部３２によって、フード下方向噴射部４３から噴射される洗浄液が吸気口２３に向かうのを阻止することができる。これにより、レンジフード１の内部空間Ｓに供給される洗浄液が吸気口２３から漏出される不具合を防止することができる。このように、本構成のレンジフード１は、吸気口２３を閉鎖する機構を別途設けることなく、フード部１１において第２壁部３２を設ける簡易な構成によって、吸気経路Ｌから流体（排気）を内部空間Ｓに取り込みつつ、内部空間Ｓに供給される洗浄液の吸気口２３からの漏出を防止することができる。
【００５７】
さらに、本実施形態では、第２壁部３２の下端部３２ａが第１壁部３１の上端部３１ａよりも下方に位置するように配置されているため、第１壁部３１及び第２壁部３２は、水平方向視において上下方向の端部どうしが重なり合う。これにより、第１壁部３１及び第２壁部３２によって内部空間Ｓに供給される洗浄液が吸気口２３に向かう流れをより確実に遮断することができる。その結果、内部空間Ｓに供給される洗浄液の吸気口２３からの漏出をより効果的に防止することができる。なお、第２壁部３２の下端部３２ａは、内部空間Ｓに噴射される洗浄液の方向に対面し、且つ、洗浄液が吸気口２３に向かう流れを阻止できる場合であれば、第１壁部３１の上端部３１ａと同程度の高さや、第１壁部３１の上端部３１ａよりも上方に配置されていてもよい。
【００５８】
第２壁部３２は、下端部３２ａが吸気経路Ｌの下流側に向けて湾曲する折り返し部３５を有する。第２壁部３２の折り返し部３５によって吸気口２３から取り入れられた排気を空間Ｓ１に案内することができるので、内部空間Ｓに効率よく排気を取り入れることができる。また、内部空間Ｓに洗浄液が供給される際には、第２壁部３２に向けて噴射される洗浄液は第２壁部３２の折り返し部３５によって内部空間Ｓに案内される。これにより、洗浄液は吸気口２３に向けて流れ難くなるので、洗浄液が第２壁部３２を経由して吸気口２３から漏出する不具合を防止することができる。
【００５９】
［第２実施形態］
図６、図７に示すように、第２実施形態では、吸気部３０が、吸気口２３と、第１壁部３１と、第２壁部３２と、第３壁部３３とによって構成されている。第３壁部３３は、整流板１３において第２壁部３２よりも吸気経路Ｌ（図３参照）の下流側にフード部１１のパネル部１１ａに向けて立設されている。第３壁部３３の上端部３３ａとフード部１１のパネル部１１ａとの間に吸気経路Ｌとなる間隙Ｇ３を有する。他の構成については第１実施形態と同じである。
【００６０】
本実施形態では、第１壁部３１、第２壁部３２、及び、第３壁部３３によって形成された吸気経路Ｌによって排気を内部空間Ｓに取り込むことができる。また、図６に示すように、フード下方向噴射部４３（フード洗浄部４０）を用いてレンジフード１の空間Ｓ１（内部空間Ｓ）を洗浄する際には、特に第２壁部３２及び第３壁部３３によって、フード下方向噴射部４３から噴射される洗浄液が吸気口２３に向かうのを阻止することができる。
【００６１】
ここで、レンジフード１の吸気経路Ｌにおいて、第１壁部３１、第２壁部３２、及び第３壁部３３が順に配置された場合、空間Ｓ１に供給される洗浄液が整流板１３に設けられる第１壁部３１と第３壁部３３との間に入り込んで貯留することが想定される。そこで、本実施形態では、図７に示すように、第３壁部３３は、整流板１３の底壁１３ａに近接する基部３３ｂ側に洗浄液の流通を許容する貫通部３６が形成されている。貫通部３６は、基部３３ｂにおいて横長なスリット状に形成されている。これにより、洗浄液が第１壁部３１と第３壁部３３との間に入り込んだ場合であっても、貫通部３６を介して内部空間Ｓに設けられる第１排水口２５から当該洗浄液を排出することができる。なお、貫通部３６は、洗浄液が第３壁部３３の外側から内側に流通可能であれば、他の形状であってもよい。
【００６２】
第３壁部３３は、上端部３３ａが吸気経路Ｌの下流側に向けて湾曲する折り返し部３７を有する。第３壁部３３の折り返し部３７によって吸気口２３から取り入れられた排気を空間Ｓ１に案内することができるので、内部空間Ｓに効率よく排気を取り入れることができる。また、内部空間Ｓに洗浄液が供給される際には、第３壁部３３に向けて噴射される洗浄液は第３壁部３３の折り返し部３７によって内部空間Ｓに案内される。これにより、洗浄液は吸気口２３に向けて流れ難くなるので、洗浄液が第３壁部３３を経由して吸気口２３から漏出する不具合を防止することができる。
【００６３】
［別実施形態］
（１）上記実施形態では、フード洗浄部４０としては、２個のフード上方向噴射部４１及び２個のフード下方向噴射部４３が設けられている。しかし、フード上方向噴射部４１及びフード下方向噴射部４３の数はこれに限定されず、それぞれ１つであってもよいし、それぞれ３個以上であってもよい。
【００６４】
（２）上記実施形態では、噴射部は固定されており、洗浄液を所定範囲内に亘って噴射するように構成されている。しかし、噴射部は揺動可能に支持されており、揺動により洗浄液を所定範囲内に亘って噴射するように構成されていてもよい。その他、図８に示すように、フード噴射部４５及び庫内噴射部７５は回転可能に支持されており、回転により洗浄液を所定範囲内の全周に亘って噴射するように構成されていてもよい。
【００６５】
（３）上記実施形態では、第２壁部３２が下端部３２ａに折り返し部３５を有し、上記の第２実施形態では、第３壁部３３が上端部３３ａに折り返し部３７を有する例を示した。第２壁部３２は折り返し部３５を有さずに構成してもよく、第３壁部３３は折り返し部３７を有さずに構成してもよい。
【００６６】
上記の第２実施形態では、第３壁部３３が整流板１３の底壁１３ａに近接する基部３３ｂ側に貫通部３６を有する例を示したが、第３壁部３３は基部３３ｂ側に貫通部３６を有しない構成でもよい。
【００６７】
（４）上記実施形態では、第１排水口２５は、整流板１３の左右方向の中央部かつ前後方向の後部に設けられている。しかし、第１排水口２５の位置はこれに限定されない。例えば、第１排水口２５は、整流板１３の左右方向の左端部又は右端部かつ前後方向の後部に設けられていてもよい。
【００６８】
（５）上記実施形態では、第１排水口２５及び第２排水口２７が設けられている。しかし、図３において、例えば隔壁２１、底壁１７ｃ及び第２排水口２７が設けられておらず、整流板１３が後側の側壁１７ｂ２まで延びていてもよい。この場合、空間Ｓ１の洗浄後の汚れ及び洗浄液も、空間Ｓ２（空間Ｓ２ａ及び空間Ｓ２ｂが一体化した空間）の洗浄後の汚れ及び洗浄液もともに、第１排水口２５を介して排出される。このとき、フード下方向噴射部４３ａ，４３ｂの噴射方向側に第１排水口２５が位置し、かつ、庫内下方向噴射部７３ａ，７３ｂの噴射方向側に第１排水口２５が位置するのが好ましい。
【００６９】
これにより、フード下方向噴射部４３ａ，４３ｂから噴射された洗浄液及びその洗浄液により剥がされた汚れ等を含む排水は、第１排水口２５側に集まり、第１排水口２５から排出される。同様に、庫内下方向噴射部７３ａ，７３ｂから噴射された洗浄液及びその洗浄液により剥がされた汚れ等を含む排水は、第１排水口２５側に集まり、第１排水口２５から排出される。
【００７０】
（６）上記実施形態では、洗浄液の噴射部として、空間Ｓ１に設けられるフード洗浄部４０と、空間Ｓ２に設けられる庫内洗浄部７０とを設けている。しかし、洗浄液の噴射部として、空間Ｓ１に設けられるフード洗浄部４０及び空間Ｓ２に設けられる庫内洗浄部７０のいずれかが設けられている構成であってもよい。
【００７１】
（７）上記実施形態では、整流板１３の外周側に連続するコ字状の吸気口２３が設けられている。しかし、吸気口２３の開口の位置及び形状はこれに限定されない。整流板１３の底壁１３ａに、排気を取り込むための長方形状の吸気口２３を設けてもよい。吸気口２３は、例えば、整流板１３の前側、左側及び右側の３か所の側壁に沿って設けることで、フード部１１の外周部１１ｂに隣接して位置させることができる。吸気口２３は、例えば、吸気口２３に対応する底壁１３ａを上方に折り曲げて第１壁部３１を形成してもよい。整流板１３の一部に吸気口２３を設けることで開口面積が絞られ、調理で発生した油分を含んだ排気の吸込速度が高まる。
【００７２】
（８）上記実施形態では、送風機庫１７に送風機１５が設けられている。しかし、例えば、送風機１５は送風機庫１７の上部に設けられていてもよい。この場合、送風機庫１７は、吸気口２３から吸い込まれた排気が、空間Ｓ１を介して取り込まれる空間Ｓ２として機能する。
【００７３】
（９）上記実施形態では、上面視において、整流板１３は直方体状であり、フード部１１は直方体状であり、送風機庫１７は直方体状である。しかし、これらの形状は直方体状に限定されず、例えば、楕円形状、三角形状及び５角以上の多角形状等であってもよい。
【００７４】
（１０）上記実施形態では、洗浄液を噴射するが、洗浄液の代わりにお湯等を噴射してもよい。
【００７５】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００７６】
１        ：レンジフード
２        ：ハウジング
１１      ：フード部
１１ａ    ：パネル部
１３      ：整流板
１７      ：送風機庫
１９      ：排気口
２０      ：制御部
２３      ：吸気口
２５      ：第１排水口
２７      ：第２排水口
３０      ：吸気部
３１      ：第１壁部
３１ａ    ：上端部
３２      ：第２壁部
３２ａ    ：下端部
３３      ：第３壁部
３３ａ    ：上端部
３３ｂ    ：基部
３５，３７：折り返し部
３６      ：貫通部
４０      ：フード洗浄部
４７      ：送風機洗浄部
６５      ：洗浄液供給部
７０      ：庫内洗浄部
Ｎ        ：洗浄液噴射部
Ｌ        ：吸気経路
Ｓ        ：内部空間
Ｓ１      ：空間
Ｓ２      ：空間
【図１】
2020134092.tif 000003
【図２】
2020134092.tif 000004
【図３】
2020134092.tif 000005
【図４】
2020134092.tif 000006
【図５】
2020134092.tif 000007
【図６】
2020134092.tif 000008
【図７】
2020134092.tif 000009
【図８】
2020134092.tif 000010